(57)【要約】      （修正有）【課題】指輪の表面に紫外線硬化樹脂や多層塗り漆からなる装飾素材を付着させるとともに、装飾材内にパワーストーンとなるトルマリン粉末を混在させたパワーストーン入り装飾指輪を提供する。【解決手段】チタン材料Ｃがリング状に形成され外周断面を平坦面又は凹状面とした輪体１００，２００と、輪体１００，２００の外周断面の平坦面又は凹状面に充填固化させた装飾材５０，６０，７０，８０とからなる装飾指輪において、装飾材５０，６０，７０，８０内にパワーストーンのトルマリンＴ粉末を混在させたパワーストーン装飾指輪１０，２０，３０，４０である。【選択図】図１
0003211734.tif 000002
【実用新案登録請求の範囲】
【請求項１】
チタン材料をリング状に形成して外周断面を平坦面又は凹状面とした輪体と、上記輪体の外周断面の平坦面又は凹状面の全周面に充填固化させた装飾材とからなる装飾指輪において、パワーストーンとなるショールトルマリン又はリチアトルマリン又はドラバイトトルマリンを３〜３５０μｍの粉末とし、上記装飾材内に上記何れか一つのトルマリン粉末を混在させたことを特徴とするパワーストーン装飾指輪。
【請求項２】
上記トルマリン粉末を混在させた装飾材は、紫外線硬化樹脂又は自然硬化樹脂であることを特徴とする請求項１記載のパワーストーン装飾指輪。
【請求項３】
上記トルマリン粉末を混在させた装飾材は、上記輪体の外周断面の平坦面又は凹状面に巻付けたテープ又は短片のホログラムが付着され、上記ホログラムの上面に透明な紫外線硬化樹脂又は自然硬化樹脂を単層又は多層に充填されたことを特徴とする請求項１記載のパワーストーン装飾指輪。
【請求項４】
請求項１記載のパワーストーン装飾指輪において、上記輪体の外周断面の平坦面又は凹状面に塗布された基礎漆の上面に吸湿性の有る糸が疎らに巻かれ、上記基礎漆とこの上面となる外周面に巻かれた糸の上面に対して漆材を薄層に塗布と乾燥を繰返し形成した多層漆の装飾材とし、上記多重塗布される各漆層にトルマリン粉末を混在させるとともに最外周表面の漆層は漆材のみとし、該最外周表面の漆層を磨き上げた多層構成であることを特徴とするパワーストーン装飾指輪。
【請求項５】
請求項１記載のパワーストーン装飾指輪において、上記輪体の外周断面の平坦面又は凹状面に塗布された基礎漆とこの上面に吸湿性の有る糸を疎らに巻いた基礎漆を加熱乾燥して形成した糸固着層を少なくとも二層設け、上記糸固着層の外周面に塗布した漆層も加熱乾燥した固着層となし、上記固着層の外周面に多重塗布される各漆層にトルマリン粉末を混在させ、少なくとも最外周表面の漆層は漆材のみとし、該最外周表面の漆層を磨き上げた多層構成であることを特徴とするパワーストーン装飾指輪。
【考案の詳細な説明】
【技術分野】
【０００１】  本考案は、特にチタンの硬質性金属材料からなる指輪において、この指輪の表面に紫外線硬化樹脂や多層塗り漆からなる装飾材を付着させるとともに、装飾材内にパワーストーンとなるトルマリン粉を混在させたパワーストーン装飾指輪を提供するものである。
【背景技術】
【０００２】  従来、指輪は、その素材として、ステンレス、白金、金、プラチナ等の貴金属を使用し、これらの外周面を研磨して光沢を出して高価なジュエリー商品としている。上記公知の指輪において、単純な金属色や単純なデザインに飽きている。更に、新鮮で高い審美感を求める愛用者達は、日本の伝統的で各種色彩（渋さ、深み）が審美感を放っている１つの素材となる漆が持つ（わび・さび他）を指輪に適用すれば、ジュエリーとしての指輪の新たな美的世界が到来する可能性が期待できる。【０００３】  上記漆材は、指輪のような金属素材との接合性が弱く、軽い衝撃でも漆が金属表面から剥離すると言う問題があり、実用化が困難視されている。それにも関わらず、一部製造業者は、漆は指輪のような金属素材との接合性が弱くて軽い衝撃で漆が金属表面から剥離すると言う、欠点を克服しない商品を販売している。【０００４】  上記漆材は、蒔絵において、立体的な装飾文様の表現を良好に実現するものがある。その構成は、被加飾材の表面に対し、漆や接着剤等の中間接着層を介して硬質性金属材料からなる金属粒子を装飾文様として形成して接合し、胴ずり工程においてコンパウンドや磨き粉等を用いて研ぎ作業を施した時の装飾文様の摩耗をなくし、比較的簡易な平蒔絵の工程をした場合でも高蒔絵に相当する立体的な表現を容易に可能とするものである（例えば、特許文献１参照。）。【０００５】  更に、アクリル樹脂基板の多重層素材の製造を効率的に行うものがある。その構成は、アクリル樹脂基板に漆材を塗布して漆層を形成する工程と、前記漆層の硬化が始まった時点で当該漆層の上に他のアクリル樹脂基板を配置して貼着する工程とを備えたことにより、アクリル樹脂基板同士の間に漆層を挟み込んだ際に、アクリル樹脂が重合反応するときのモノマーから排出される酸素と水分を漆層の重合反応に寄与させて漆層の乾燥が早期に行われ、かつ漆の塗膜が良好な美観状態に維持される構成である（例えば、特許文献２参照。）。【０００６】  更に、粒子径０．１〜５０μｍのシリカ原石の粉末体または粒子径０．１〜１５０μｍのトルマリン原石の粉末体と熱硬化性樹脂を混合し、この混合物に５０℃前後の熱を加えて熱硬化性樹脂を軟化し、振動を加えて撹伴しながら焼結型に流し込み、１２０℃〜２００℃の温度で焼結した装身具と指輪において、指輪本体の内径面における窪部だけにトルマリン原石粉末体と熱硬化性樹脂からなる樹脂を順次に流し込んで成形するものである（例えば、特許文献３参照。）。
【先行技術文献】
【特許文献】
【０００７】
【特許文献１】特開２００７−２３０２３１号公報
【特許文献２】特開２０１４−４６６７０号公報
【特許文献３】特開２００２−２５５６３５号公報
【考案の概要】
【考案が解決しようとする課題】
【０００８】  上記特開２００７−２３０２３１号公報は、被加飾材の表面に対し、漆や接着剤等の中間接着層を介して硬質性金属材料からなる金属粒子を装飾文様として形成するもので、チタンの硬質性金属材料からなる円弧状に湾曲する指輪の外周面に、漆材を塗布して漆層を形成する技術ではなく、この技術を指輪に活用出来ない。【０００９】  また、上記特開２０１４−４６６７０号公報は、アクリル樹脂基板に漆材を塗布して漆層を形成する技術であるから、チタンの硬質性金属材料からなる円弧状に湾曲する指輪の外周面に、漆材を塗布して漆層を形成する技術ではなく、この技術を指輪に活用出来ない。【００１０】  特開２００２−２５５６３５号公報は、指輪本体の内径面における窪部だけに凹み（窪み）を設け、ここにトルマリン原石粉末体と熱硬化性樹脂からなる樹脂を順次に流し込んで成形したものであり、指輪の全周に配置されず部分配置（全周の１／４程度）となり、しかも肉薄となり、嵌めた指に対するトルマリンの作用・効果が部分的となり、期待する効果が無い。【００１１】  本考案は、上記各公知例の技術とは全く異なり、特にチタン材料からなる指輪外周に塗布する装飾材内の全周囲に、パワーストーンとなるトルマリンを混在させることで、健康維持を１００％発揮するパワーストーン装飾指輪とした。上記装飾材は、漆材を剥がれ難く塗布した漆層として深味あるパワーストーン装飾指輪とした。  更に、装飾材は、深みの有る幻想的なパステルカラーを放つホログラムと紫外線硬化樹脂からなる素材とし、幻想的なパワーストーン装飾指輪を開発した。
【課題を解決するための手段】
【００１２】  上記目的を達成した本考案の請求項１によるパワーストーン装飾指輪は、チタン材料をリング状に形成して外周断面を平坦面又は凹状面とした輪体と、上記輪体の外周断面の平坦面又は凹状面の全周面に充填固化させた装飾材とからなる装飾指輪において、パワーストーンとなるショールトルマリン又はリチアトルマリン又はドラバイトトルマリンを３〜３５０μｍの粉末とし、上記装飾材内に上記何れか一つのトルマリン粉末を混在させたことを特徴とする。【００１３】  また、本考案の請求項２のパワーストーン装飾指輪は、請求項１記載のパワーストーン装飾指輪において、上記トルマリン粉末を混在させた装飾材は、紫外線硬化樹脂又は自然硬化樹脂であることを特徴とする。【００１４】  また、本考案の請求項３のパワーストーン装飾指輪は、請求項１記載のパワーストーン装飾指輪において、上記トルマリン粉末を混在させた装飾材は、上記輪体の外周断面の平坦面又は凹状面に巻付けたテープ又は短片のホログラムが付着され、上記ホログラムの上面に透明な紫外線硬化樹脂又は自然硬化樹脂を単層又は多層に充填されたことを特徴とする。【００１５】  また、本考案の請求項４のパワーストーン装飾指輪は、請求項１記載のパワーストーン装飾指輪において、上記輪体の外周断面の平坦面又は凹状面に塗布された基礎漆の上面に吸湿性の有る糸が疎らに巻かれ、上記基礎漆とこの上面となる外周面に巻かれた糸の上面に対して漆材を薄層に塗布と乾燥を繰返し形成した多層漆の装飾材とし、上記多重塗布される各漆層にトルマリン粉末を混在させるとともに最外周表面の漆層は漆材のみとし、該最外周表面の漆層を磨き上げた多層構成であることを特徴とする。【００１６】  また、本考案の請求項５のパワーストーン装飾指輪は、請求項１記載のパワーストーン装飾指輪において、上記輪体の外周断面の平坦面又は凹状面に塗布された基礎漆とこの上面に吸湿性の有る糸を疎らに巻いた基礎漆を加熱乾燥して形成した糸固着層を少なくとも二層設け、上記糸固着層の外周面に塗布した漆層も加熱乾燥した固着層となし、上記固着層の外周面に多重塗布される各漆層にトルマリン粉末を混在させ、少なくとも最外周表面の漆層は漆材のみとし、該最外周表面の漆層を磨き上げた多層構成であることを特徴とする。
【考案の効果】
【００１７】  本考案の請求項１のパワーストーン装飾指輪によると、全外周面となる装飾材内にパワーストーンのトルマリン３〜３５０μｍ粉末を混在させたから、チタンとパワーストーンによる複合的な健康維持作用が効率良く１００％発揮される。即ち、チタンによるパワーストーン装飾指輪によると、血流促進効果が得られる。即ち、右指に嵌めると右肩の肩凝りをほぐし、左指に嵌めれば左肩の肩凝りをほぐす効果が得られる。また、トルマリンが持つパワーストーン効果（各関節のバランス改善による歩行改善、転倒防止、筋力増強他）が得られる。【００１８】  請求項２のパワーストーン装飾指輪によると、トルマリンを混在させ装飾材は、紫外線硬化樹脂又は自然硬化樹脂としたから、紫外線硬化樹脂は硬化する前の造形作業が容易であり、任意の形状を呈する装飾材の製作作業と、光を照射することで直ちに硬化するから、その製造・作業効率が良い。自然硬化樹脂の場合も同様である。【００１９】  請求項３のパワーストーン装飾指輪によると、指輪の輪体表面に貼られたテープ又は短片のホログラムに照射光が煌びやかで幻想的な反射光となって透明な紫外線硬化樹脂を介して外部に放射する指輪が得られる。更に、チタンによる血流促進効果と、トルマリン粉末が持つパワーストーン効果（各関節のバランス改善による歩行改善、転倒防止、筋力増強他）がチタンとパワーストーンによる複合的な健康維持作用が効率良く１００％発揮される。【００２０】  また、請求項４のパワーストーン装飾指輪によると、漆材を薄層に塗布と乾燥を繰返し形成した各多層漆にトルマリン粉が散在する他、トルマリン粉末が無い最外周表面が磨かれた構成となり、金属表面との強固な接合と輝く外周面となり、優れた装飾指輪が得られる。更に、硬質性金属材にチタンを使用したからチタンが持つ、血流促進効果が得られ、肩凝りをほぐす効果がある。更に、多層漆にトルマリン粉末が散在するから、トルマリンが持つパワーストーン効果（各関節のバランス改善による歩行改善、転倒防止、筋力増強等）が得られる。【００２１】  また、請求項５のパワーストーン装飾指輪によると、請求項４のパワーストーン装飾指輪において、糸を疎らに巻いた基礎漆を加熱乾燥して形成した糸固着層を少なくとも二層設け、上記糸固着層の上面に塗布した漆層も加熱乾燥した固着層となし、上記固着層の外周面に多重塗布される各漆層にトルマリン粉末を混在させ、糸固着層及びこの上面に塗布した漆層も加熱乾燥した固着層であるから、これらの漆の自然乾燥によると一層当たり１〜２週間要するところ、数時間で乾燥する為、パワーストーン装飾指輪の製造期間が約２か月要したところ大幅（１か月近く）に短縮される。これにより、大量生産が可能となり、生産コストも低減される。
【図面の簡単な説明】
【００２２】
【図１】  本考案の各パワーストーン装飾指輪の断面図と斜視図と拡大断面図である。
【図２】  本考案の第３及び第４及び第５実施態様を示し、要部の拡大図と工程断面図である。
【図３】  本考案の第１及び第２実施態様を示し、要部の拡大図と工程断面図である。
【図４】  各パワーストーン指輪による指の閉口力他の測定試験を示す試験表図である。
【考案を実施するための形態】
【００２３】  以下、図１〜図４を参照して本考案のパワーストーン装飾指輪について、各実施の形態を順次に説明する。
【実施例】
【００２４】  本考案の第１〜第４実施の形態となる各パワーストーン装飾指輪１０，２０，３０，４０は、図１に全体構成を示す。上記各指輪は、チタンＣの硬質性金属材料がリング状に形成され外周断面を平坦面１１又は凹状面１２とした輪体１００，２００と、上記輪体の外周断面の全周面となる平坦面１１又は凹状面１２に充填固化させた装飾材５０又は６０と、７０又は８０からなる。上記輪体の全外周面に塗布した装飾材５０，６０，７０，８０内に、パワーストーンとなるトルマリンＴの小粒片ｔ（３〜３５０μｍ）が混入されている。上記トルマリンは、ショールトルマリン、リチアトルマリン、ドラバイトトルマリン（ｔ）の少なくとも何れか一つが使用されている。勿論、複数の異なるトルマリンを混合させても良い。詳細構成は後記する。【００２５】  続いて、上記各パワーストーン装飾指輪１０，２０，３０，４０の各構成を説明する。
第１実施態様のパワーストーン装飾指輪１０は、輪体１００において平坦面１１の外周面にホログラム（テープ又は短片）Ｈを貼付け、この上面に紫外線硬化樹脂（ＵＶ樹脂）Ｓ又は自然硬化樹脂Ｓ１を被覆させた装飾材５０からなる。上記装飾材５０内にトルマリンＴ（ｔ）が内装されている。
第２実施態様のパワーストーン装飾指輪２０は、輪体２００において凹状面１２の外周面にホログラム（テープ又は短片）Ｈを貼付け、この上面に紫外線硬化樹脂（ＵＶ樹脂）Ｓ又は自然硬化樹脂Ｓ１を被覆させた装飾材５０からなる。上記装飾材５０内にトルマリンＴ（ｔ）が内装されている。【００２６】  第３実施態様のパワーストーン装飾指輪３０は、輪体１００において平坦面１１の外周面に基礎漆Ｕ１を接着させ、この上に糸Ｙを荒く巻付けて基礎漆Ｕ１と接着させる。更に、この上面に漆Ｕ２，Ｕ３・・・を繰返し多層重ねに塗った多層漆Ｕｍとし、少なくとも最外表面の外装漆Ｕｘを磨いた装飾材７０からなる。上記装飾材７０内における漆Ｕ２，Ｕ３・・・を繰返し多層重ねに塗った多層漆Ｕｍに、トルマリンＴ（ｔ）が混在されている。【００２７】  第４実施態様のパワーストーン装飾指輪４０は、輪体２００において凹状面１２の外周面に基礎漆Ｕ１を接着させ、この上に糸Ｙを荒く巻付けて基礎漆Ｕ１と接着させる。更に、この上面に漆Ｕ２，Ｕ３・・・を繰返し多層重ねに塗った多層漆Ｕｍとし、少なくとも最外表面の外装漆Ｕｘを磨いた多層構成の装飾材８０からなる。上記装飾材８０内における漆Ｕ２，Ｕ３・・・を繰返し多層重ねに塗った多層漆Ｕｍに、トルマリンＴ（ｔ）の粉末（３〜３５０μｍ）が混在されている。【００２８】  更に、第５実施態様のパワーストーン装飾指輪（図示なし）は、第４実施態様のパワーストーン装飾指輪４０において、上記輪体の外周断面の平坦面又は凹状面に塗布された基礎漆とこの上面に吸湿性の有る糸を疎らに巻いた基礎漆を加熱乾燥して形成した糸固着層を少なくとも二層設け、上記糸固着層の上面に塗布した漆層も加熱乾燥した固着層となし、上記固着層の外周面に多重塗布される各漆層にトルマリン粉末を混在させるとともに、少なくとも最外周表面の漆層は漆材のみとし該最外周表面の漆層を磨き上げた多層構成である。【００２９】  上記第１及び第２実施態様のパワーストーン装飾材５０，６０を使用した装飾指輪１０，２０の詳細構成を説明する。図３（ａ）（ｂ）において、装飾指輪１０，２０は、輪体１００や２００の平坦面１１や凹状面１２の外周面に、各種色彩を放つ各種ホログラムＨ（一色又は多色に配列される）の小片ｈとトルマリンＴの小粒片ｔ（３〜３５０μｍ）が貼付けられる。この上面を樹脂で透明に被覆（コーティング）すべく、透明度の有る紫外線硬化樹脂（ＵＶ樹脂）Ｓを単層又は多層に充填させる。この手順は、紫外線硬化樹脂（ＵＶ樹脂）Ｓを単層盛りの場合は、厚く単層盛り後に紫外線を照射することで固化して被覆される。また、紫外線硬化樹脂（ＵＶ樹脂）Ｓを多層に充填するには、（ＵＶ樹脂）Ｓを薄く単層盛りと紫外線照射による固化とを、繰り返して所定の厚さまで、紫外線硬化樹脂（ＵＶ樹脂）Ｓを盛り上げる。そして、図３（ｃ）に示すように、（ＵＶ樹脂）Ｓの表面を適宜な公知磨き手段で磨かれる。他の実施例として、ホログラムＨは図３（ｂ）に示すように、テープＨ０（ｈ０）として巻き付け、自然硬化樹脂Ｓ１を使用しても良い。【００３０】  しかして、内部の各種ホログラムＨ，Ｈ０が透明（樹脂色に染められた透明色）に光を透過させて七色に可視され、ジュエリーとして���価値を発揮する。上記ホログラムＨ，Ｈ０としては、公知な部材として、パターンホログラム、オリジナルホログラム、ＰＲＳ（浮彫）他のものが適宜使用される。また、紫外線硬化樹脂（ＵＶ樹脂）Ｓや自然硬化樹脂Ｓ１は、市販の各種製品が使用可能である。
上記各指輪１００，２００を、チタンＣで構成してチタンが持つ、血流促進効果が得られる。これで、右指に嵌めると右肩の肩凝りをほぐす効果が得られる。左指に嵌めれば左肩の肩凝りをほぐす効果が得られる。更に、指輪の外周全面に塗布した装飾材内に３〜３５０μｍの粉末状のトルマリンＴ（ｔ）を内装したから、トルマリンが持つパワーストーン効果（各関節のバランス改善による歩行改善、転倒防止、筋力増強他）が嵌めた指の全周面から複合的に得られる。【００３１】  上記第１及び第２実施態様のパワーストーン装飾指輪１０，２０によれば、チタン材料Ｃがリング状に形成され外周断面を平坦面１１又は凹状面１２とした輪体１００，２００と、上記輪体の外周断面の全周面となる平坦面１１又は凹状面１２に充填固化させた装飾材５０，６０とこの内部に３〜３５０μｍ粉末のトルマリンＴ（ｔ）を内装する構成だから、チタンＣの表面を磨いただけの金属材だけの単純な感覚の指輪と異なり、多彩な色彩による配色の色取りが可能となる。また、外周断面を平坦面１１又は凹状面１２の輪体としたから、平坦面又は凹状面に装填される装飾材５０，６０は、凹状面や平面にも立体的に造形できる。更に、硬質性金属材にチタンを使用すると、チタンが持つ、血流促進効果が得られる。【００３２】  更に、上記装飾材は、紫外線硬化樹脂のＵＶ樹脂とすれば、硬化する前の造形作業が容易であり、任意の形状を呈する装飾材の製作作業と、光を照射することで直ちに硬化するから、その製造・作業効率が良い。また装飾指輪１０，２０によると、上記装飾材５０，６０は、上記輪体の外周断面の平坦面又は凹状面にテープ状ｈ０又は短片ｈのホログラムＨ，Ｈ０を付着させ、上記ホログラムの上面に透明な紫外線硬化樹脂Ｓや自然硬化樹脂Ｓ１を単層又は多層に充填させたから、指輪の輪体の平坦面又は凹状面にテープ状又は短片のホログラムＨ，Ｈ０により、照射光が煌びやかで幻想的な反射光となって透明な紫外線硬化樹脂Ｓや自然硬化樹脂Ｓ１を介して外部に放射され、幻想的な雰囲気の世界を指輪から得られる。この反射光は、シート状短片のホログラムをＵＶ樹脂Ｓや自然硬化樹脂Ｓ１でコーティング（保護）したから、長期間に渡り透過が得られる。【００３３】  続いて、本考案の本命である第３実施態様のパワーストーン装飾指輪３０は、図２（ａ）に示すように、輪体１００において平坦面１１の外周面には、漆Ｕ１を接着させ、この上に例えば、吸湿性の良い麻製の糸Ｙを荒く巻付け、漆Ｕ１と接着させる。更に、この上面に漆Ｕ２，Ｕ３・・・を繰返し多層重ねＵｍに塗り、表面の漆Ｕｘを磨いた装飾材７０からなる。この装飾材７０内にパワーストーンとなるトルマリンＴの小粒片ｔ（３〜３５０μｍ）が混入されている。上記トルマリンＴは、ショールトルマリン、リチアトルマリン、ドラバイトトルマリン（ｔ）の少なくとも何れか一つが使用される。勿論、複数の異なるトルマリンＴを混合させても良い。【００３４】  また、第４実施態様のパワーストーン装飾指輪４０は、図２（ｂ）に示すように、輪体２００において凹状面１２の外周面には、漆Ｕ１を接着させ、この上に例えば、吸湿性の良い麻製の糸Ｙを荒く巻付け、漆Ｕ１と接着させる。更に、この上面に漆Ｕ２，Ｕ���・・・を繰返し塗り付けと乾燥を繰返して多層重ねＵｍに塗り、表面の漆Ｕｘを磨いた装飾材８０からなる。勿論、装飾材７０と装飾材８０とは、同一構成体である。この装飾材８０内にパワーストーンＰとなるトルマリンＴの小粒片ｔ（３〜３５０μｍ）が混入されている。両者の相違点は、輪体１００において平坦面１１の外周面に装着するか、輪体２００において凹状面１２の外周面に装着するかである。輪体２００においては、中心部の装飾材８０と両縁の両外周部（イ）（ロ）とが、特徴的なコントラストを醸し出すから、優れた審美眼的効果が得られる。【００３５】  以下、図２（ｃ）〜（ｆ）により、再度、輪体２００の凹状面（外周面）１２に漆Ｕ１，Ｕ２，Ｕ３・・・の装飾材８０を装着する製造工程を説明する。先ず、輪体２００において、図２（ｃ）に見るよう凹状面１２の外周面に漆Ｕ１を接着させ、この上に例えば、吸湿性の良い麻製の糸Ｙを荒く巻付け、漆Ｕ１と接着させる。更に、この上面に漆Ｕ２，Ｕ３・・・を繰返し多層重ねて塗り、外周表面の漆Ｕｘを磨いて装飾材８０となる。即ち、図２（ｄ）に見るよう、糸Ｙの上面に、トルマリンＴの小粒片ｔ（３〜３５０μｍ）を混入させた２層目の漆Ｕ２，３層目のＵ３・・と、漆の塗布と乾燥とを繰返し、図２（ｅ）（ｇ）に示すように外周表面の漆Ｕｘまで、多層重ね塗りする。最後に、図２（ｆ）に示すように、多層重ね塗りＵｍした表面Ｕｘを磨いて光沢感に溢れた装飾材８０を得る。上記漆Ｕ１，Ｕ２，Ｕ３・・Ｕｘの乾燥方法は、基本的に公知の漆と、この乾燥方法が適用される【００３６】  更に、多彩な色彩・美的感覚を醸し出すために、図２（ｇ）に示すように、第４実施態様の装飾材７０，８０は、上記多層漆塗りの表面（濃紺、黒色他）Ｕｘに、色彩の異なる漆（朱色他）Ｕｚを表面Ｕｘと同時又は後から連続又は不連続に塗布させ、図２（ｈ）に示すように、乾燥固化後に仕上げられる。上記色彩の異なる漆Ｕｚは、漆の他、パール粉、金及び金粉、白金、ダイヤ粉等の装飾片Ｓ０とし、この装飾片Ｓ０（Ｊ）の一つ乃至複数個を多層漆塗りの内部に埋設することが可能である。また、上記漆表面Ｕｘに装飾片Ｓ０（Ｊ）を露出又は埋没させた構成としても良い。【００３７】  上記多層漆塗りの表面内に、パール粉、金及び金粉、白金、ダイヤ粉等の装飾片Ｓ０（Ｊ）を任意な模様状に埋設させ、上記漆を磨いて表面に装飾片を露出させれば、多層漆塗りの内部から表面に異なる漆色及び模様や、パール粉、金及び金粉、白金、ダイヤ粉等の装飾片Ｓ０（Ｊ）が異質の光沢を放ち、真に奥深い漆材Ｕｘ，Ｕｚと装飾片Ｓ０（Ｊ）との異質感が神秘的雰囲気を醸し出す効果が得られる。更に、チタンＣを使用しているからチタンが持つ血流促進効果と、トルマリンが持つパワーストーン効果（各関節のバランス改善による歩行改善、転倒防止、筋力増強他）がチタンとパワーストーンによる複合的な健康維持作用が効率良く１００％発揮される。【００３８】  尚、第３実施態様のパワーストーン装飾指輪３０及び第４実施態様のパワーストーン装飾指輪４０では、図２（ｃ）に見るよう凹状面１２の外周面に漆Ｕ１を接着させ、この上に例えば、吸湿性の良い麻製の糸Ｙを荒く巻付け、漆Ｕ１と接着させた後、自然乾燥さ���る時間が２週間前後を要することから効率的でない。そこで、１層目の糸Ｙと漆Ｕ１から３層目の糸の無い漆層Ｕ３迄を、乾燥機により１５０°ｃ〜１８０°ｃの温度で焼付け乾燥させることで、乾燥固着時間を一層当たり２時間前後に短縮でき、製造効率を大幅に改善させることができる。
具体的な第５実施態様のパワーストーン装飾指輪とした製造工程は、第４実施態様のパワーストーン装飾指輪４０において、上記輪体の外周断面の平坦面又は凹状面に塗布された基礎漆とこの上面に吸湿性の有る糸を疎らに巻いた基礎漆を加熱乾燥して形成した糸固着層Ｕ１を少なくとも二層設け、上記糸固着層Ｕ１の上面に塗布した漆層Ｕ２も加熱乾燥した固着層となし、上記固着層の外周面に多重塗布される各漆層Ｕ３、Ｕ４にトルマリン粉末を混在させるとともに、少なくとも最外周表面の漆層Ｕｘは漆材のみとし該最外周表面の漆層を磨き上げた多層構成である。【００３９】  最後に、上記パワーストーン装飾指輪１０，２，３０，４０が持つトルマリンのパワーストーン効果の測定結果を、図４によるパワーリングモニター試験表により説明する。
図４のパワーリングモニター試験表は、各年代の男女８人の試験結果を示す。
（１）指輪１０，２，３０，４０の装着前と装着時において親指と人指し指とを丸くＯリング状に閉じ、この閉口力Ｆの測定（両指先が耐え切れず開く握力）：Ｏリングテスト。
（２）片足上げ量測定（右又は左の片足で立ち、体重の無い側の足底が床から持ち上げられる高さｈの測定、これは、膝上げの膝の高さ変化測定と同じである）。
（３）片足バランス測定（右又は左の片足立ち状態において、試験者の肩に側方から軽く力Ｆ１を加えた時に耐えられるバランス取り）の実測試験を示す。
この試験結果から、Ｏリングテストによると、（１）指輪の装着前と装着後との格差は、閉口力Ｆにおいて最小値０．２ｋｇ〜最大値２．１ｋｇの増強効果が見られた。また、（２）片足上げ量測定によると、指輪の装着前と装着後との格差は、最小値４．０ｃｍｕｐ〜最大値９．０ｃｍｕｐの足上げ高さｈの増加効果が見られた。更に、（３）片足バランス測定によると、指輪の装着前と装着後との格差は、「ふらつき」に変化無しが１人、いずれも「安定状態」が維持出来て変化無しが３人、「ふらつき」から「安定した」が５人となり、個人差が見られるが増強効果を確認した。【００４０】  即ち、チタン材料をリング状に形成し、この外周全面に装飾材を付設した装飾指輪において、装飾材内にパワーストーンとなるトルマリンを混在させると、親指と人指し指との閉口力（Ｏリングテスト）Ｆの測定や片足上げ量ｈの測定、片足バランス測定とを実測した結果、指の筋力アップ、足腰の安定感による片足上げ量の増加、この状態で肩に対して側方へ働く力Ｆ１に対する片足立ち時のバランス増強が証明された。【００４１】  上記パワーストーン装飾指輪１０，２，３０，４０を左右の手の何れかの指に一つ嵌めると、親指と人指し指とを接触させて作るＯリングの閉口力（握力）Ｆが複数人による実証試験で、最大値２．１ｋｇ増強され、合わせて足腰の安定感の増強効果が見られる。従って、例えばゴルフにおいて、グリップ力が向上するとともに、立ち姿のスタンスも安定し、ドライバーの飛距離の向上やパターにおける安定したホールインが得られることがゴルファーからの報告で実証されている。更に、テニスやバトミントン、卓球、バスケットボール他において、安定したプレイ（競技）ができる。【００４２】  本考案は、上記各実施態様に限定されない。例えば、個々のパワーストーン装飾指輪１０，２，３０，４０において細部におけるデザインやトルマリンＴの種類や形状、装飾材５０，６０，７０，８０内への混合方法や混合割合など、最適値を実測しながらの設定変更他が自由に行えること勿論である。
【符号の説明】
【００４３】１１                    平坦面
１２                    凹状面
１０，２，３０，４０    パワーストーン装飾指輪
５０，６０，７０，８０  装飾材
１００，２００          輪体
Ｕ１                    基礎漆
Ｕｍ（Ｕ２，Ｕ３・・）  多層漆
Ｕｚ                    漆（朱色他）
Ｕｘ                    表面の漆（外装漆）
Ｃ                      チタン
Ｗ                      ステンレス
Ｈ                      ホログラム
Ｈ０                    テープ状のホログラム
Ｊ                      埋込装飾片
Ｐ                      パワーストーン
Ｔ                      トルマリン粉末
ｔ                      ショールトルマリン、リチアトルマリン、
ドラバイトトルマリン
Ｓ                      紫外線硬化樹脂（ＵＶ樹脂）
Ｓ１                    自然硬化樹脂
Ｓ０（Ｊ）              装飾片
Ｙ                      糸
【図１】
0003211734.tif 000003
【図２】
0003211734.tif 000004
【図３】
0003211734.tif 000005
【図４】
0003211734.tif 000006